(57)【要約】【課題】この発明は、不正使用を防止できる液晶プロジェクタを提供することを目的とする。【解決手段】液晶プロジェクタを動作させるための操作手段と、パスワードを予めユーザーに設定させるための手段と、パスワードが設定されている場合には、電源がオンされたときに、操作手段による液晶プロジェクタの動作を禁止させると共に、パスワードを入力させる手段と、パスワードが入力されると、入力されたパスワードと設定されているパスワードとを比較する手段と、入力されたパスワードと設定されているパスワードとが一致しないときには、操作手段による液晶プロジェクタの動作を禁止させる手段と、入力されたパスワードと設定されているパスワードとが一致しない状態が所定回数発生した場合には、警告表示を行う手段とを備えている。【選択図】  図２
2006189888.tif 000002
【特許請求の範囲】
【請求項１】
液晶プロジェクタを動作させるための操作手段と、パスワードを予めユーザーに設定させるための手段と、パスワードが設定されている場合には、電源がオンされたときに、操作手段による液晶プロジェクタの動作を禁止させると共に、パスワードを入力させる手段と、パスワードが入力されると、入力されたパスワードと設定されているパスワードとを比較する手段と、入力されたパスワードと設定されているパスワードとが一致したときには、操作手段による液晶プロジェクタの動作を可能とし、入力されたパスワードと設定されているパスワードとが一致しないときには、操作手段による液晶プロジェクタの動作を禁止させる手段と、入力されたパスワードと設定されているパスワードとが一致しない状態が所定回数発生した場合には、警告表示を行う手段とを備えていることを特徴とする液晶プロジェクタ。
【請求項２】
液晶プロジェクタに無線または有線によって接続され、且つ、液晶プロジェクタを制御するための液晶プロジェクタ制御用ソフトが搭載された外部コンピュータによって操作される液晶プロジェクタにおいて、液晶プロジェクタに対してパスワードを予めユーザーに設定させるための手段と、液晶プロジェクタにパスワードが登録されている場合には、液晶プロジェクタの電源がオンされたときに、外部コンピュータによる液晶プロジェクタの動作を禁止させると共に、外部コンピュータからパスワードが送られてくるのを待機する手段と、外部コンピュータからパスワードが送られてくると、送られてきたパスワードと設定されているパスワードとを比較する手段と、入力されたパスワードと設定されているパスワードとが一致したときには、外部コンピュータによる液晶プロジェクタの動作を可能とし、入力されたパスワードと設定されているパスワードとが一致しないときには、外部コンピュータによる液晶プロジェクタの動作を禁止させる手段と、入力されたパスワードと設定されているパスワードとが一致しない状態が所定回数発生した場合には、警告表示を行う手段とを備えていることを特徴とする液晶プロジェクタ。
【発明の詳細な説明】
【技術分野】
【０００１】
この発明は、液晶プロジェクタに関する。
【背景技術】
【０００２】
近年、液晶プロジェクタも、一般家庭やオフィスにおいて普及されてきている。しかしながら、従来の液晶プロジェクタにおいては、電源キーを操作することによってシステムをパワーオンすれば、誰でも液晶プロジェクタを使用可能な状態となるため、不正使用を制限する機能はなかった。このため、液晶プロジェクタの盗難や不正使用が多発している。
【発明の開示】
【発明が解決しようとする課題】
【０００３】
この発明は、不正使用を防止できる液晶プロジェクタを提供することを目的とする。
【課題を解決するための手段】
【０００４】
上記課題を解決するための第１の手段は、液晶プロジェクタを動作させるための操作手段と、パスワードを予めユーザーに設定させるための手段と、パスワードが設定されている場合には、電源がオンされたときに、操作手段による液晶プロジェクタの動作を禁止させると共に、パスワードを入力させる手段と、パスワードが入力されると、入力されたパスワードと設定されているパスワードとを比較する手段と、入力されたパスワードと設定されているパスワードとが一致したときには、操作手段による液晶プロジェクタの動作を可能とし、入力されたパスワードと設定されているパスワードとが一致しないときには、操作手段による液晶プロジェクタの動作を禁止させる手段と、入力されたパスワードと設定されているパスワードとが一致しない状態が所定回数発生した場合には、警告表示を行う手段とを備えていることを特徴とする。
【０００５】
上記課題を解決するための第２の手段は、液晶プロジェクタに無線または有線によって接続され、且つ、液晶プロジェクタを制御するための液晶プロジェクタ制御用ソフトが搭載された外部コンピュータによって操作される液晶プロジェクタにおいて、液晶プロジェクタに対してパスワードを予めユーザーに設定させるための手段と、液晶プロジェクタにパスワードが登録されている場合には、液晶プロジェクタの電源がオンされたときに、外部コンピュータによる液晶プロジェクタの動作を禁止させると共に、外部コンピュータからパスワードが送られてくるのを待機する手段と、外部コンピュータからパスワードが送られてくると、送られてきたパスワードと設定されているパスワードとを比較する手段と、入力されたパスワードと設定されているパスワードとが一致したときには、外部コンピュータによる液晶プロジェクタの動作を可能とし、入力されたパスワードと設定されているパスワードとが一致しないときには、外部コンピュータによる液晶プロジェクタの動作を禁止させる手段と、入力されたパスワードと設定されているパスワードとが一致しない状態が所定回数発生した場合には、警告表示を行う手段とを備えていることを特徴とする。
【発明の効果】
【０００６】
この発明によれば、不正使用を防止できる液晶プロジェクタを提供することができる等の効果を奏する。
【発明を実施するための最良の形態】
【０００７】
以下、図面を参照して、この発明の実施の形態について説明する。
〔１〕第１の実施の形態の説明
図１は、液晶プロジェクタの構成を示している。
【０００８】
映像入力端子１に入力された映像信号は、映像処理回路２に送られてスケーリング処理等が行われる。映像処理回路２から出力される映像信号は、ＯＳＤ混合回路３に送られ、ＯＳＤ（オンスクリーンディスプレイ）データと合成される。ＯＳＤ混合回路３から出力される映像信号は、駆動回路４によって液晶パネル５に書き込まれる。
【０００９】
液晶パネル５に書き込まれた映像は、光源ランプ６の作用により、光学系９を介してスクリーン（図示略）に投影される。光源ランプ６の近傍には、冷却ファン８が設けられている。
【００１０】
光源ランプ６は、ランプ駆動回路７によって駆動される。光学系９は、ズーム調整、フォーカス調整、シフト調整を行うための光学系調整機構を含んでいる。光学系駆動装置１０は、光学系調整機構を駆動して、ズーム調整、フォーカス調整、シフト調整を行うものであり、ズーム用モータ、フォーカス用モータ、シフト用モータを含んでいる。
【００１１】
ランプ駆動回路７、冷却ファン８および光学系駆動装置１０は、マイコン２０によって制御される。マイコン２０には、液晶プロジェクタ本体に設けられた操作部２１から操作信号が入力されるとともにリモコン送信機２２からリモート操作信号が入力される。
【００１２】
この実施の形態による液晶プロジェクタは、ログイン・パスワードをユーザに設定させる機能を備えている。つまり、操作部２１またはリモコン送信機２２を操作して電源をオンさせた後、操作部２１またはリモコン送信機２２上のメニューキーを操作することによって、メニュー画面（オンスクリーン画面）を表示させる。メニュー画面からパスワード設定項目を選択することにより、パスワード設定画面（オンスクリーン画面）を表示させ、パスワードを設定する。このようにして、パスワード設定を行なった場合には、次回から、電源オン時に操作部２１またはリモコン送信機２２によって正常なパスワードを入力しなければ、操作部２１またはリモコン送信機２２によるキー操作が無効にされ、不正使用が防止される。
【００１３】
図２は、液晶プロジェクタの電源がオンされた場合の、マイコン２０の動作を示している。
【００１４】
操作部２１またはリモコン送信機２２が操作されることによって、電源がオンされると（ステップ１）、光源ランプ６を点灯させる（ステップ２）。そして、
パスワード設定が行なわれているか否かを判定する（ステップ３）。パスワード
設定が行なわれていない場合には、操作部２１またはリモコン送信機２２による液晶プロジェクタの制御を可能な状態にさせる（ステップ７）。つまり、これ以後の操作部２１またはリモコン送信機２２によるキー入力が有効なものとして取り扱われる。
【００１５】
パスワード設定が行なわれている場合には、パスワード入力画面を表示させて（ステップ４）、パスワードが入力されるのを待つ。パスワードが入力されると（ステップ５）、パスワード入力画面を消去するとともに、入力されたパスワードが既に登録されているパスワードと一致するか否かを判定する（ステップ６）。
【００１６】
両者が一致した場合には、操作部２１またはリモコン送信機２２による液晶プロジェクタの制御を可能な状態にさせる（ステップ７）。つまり、これ以後の操作部２１またはリモコン送信機２２によるキー入力が有効なものとして取り扱われる。
【００１７】
入力されたパスワードが既に登録されているパスワードと一致しない場合には、誤ったパスワードの入力回数を記憶するための変数ｋ（初期値は０）を＋１する（ステップ８）。そして、変数ｋが予め定められた許容回数Ｋ０を越えたかいなかを判定する（ステップ９）。変数ｋが予め定められた許容回数Ｋ０以下である場合には、ステップ４に戻り、パスワード入力画面を再度表示させて、パスワードの再入力を促す。
【００１８】
上記ステップ９において、変数ｋが予め定められた許容回数Ｋ０を越えた場合には、”パスワードが一致しないため使用できないこと”を表す警告表示を行なうとともに（ステップ１０）、操作部２１またはリモコン送信機２２による液晶プロジェクタの制御を禁止状態にさせる（ステップ１１）。つまり、これ以後の操作部２１またはリモコン送信機２２によるキー入力が無効にされる。ただし、電源キー操作による電源オフ指令は有効とされる。
【００１９】
なお、パスワード設定が行なわれている場合において、メニュー画面から所定の項目を選択することにより、パスワードの変更およびパスワード設定の解除を行なうことも可能である。
【００２０】
上記第１の実施の形態によれば、液晶プロジェクタに対してパスワード設定を行なった場合には、当該液晶プロジェクタの電源をオンした後に、当該液晶プロジェクタの操作部またはリモコン送信機から正常なパスワードを入力しない限り、液晶プロジェクタを制御（操作）できないので、不正使用が防止される。
〔２〕第２の実施の形態
図３は、液晶プロジェクタの構成を示している。図３において、図１と同じものには、同じ符号を付してその説明を省略する。
【００２１】
液晶プロジェクタの構成自体は、第１の実施の形態と同じである。第２の実施の形態では、液晶プロジェクタ内のマイコン２０は、ネットワーク制御回路５１およびＬＡＮ、無線ＬＡＮ等のネットワーク５２を介して、液晶プロジェクタを制御できるＰＣ１００に接続されている。
【００２２】
ＰＣ１００には、液晶プロジェクタ制御用ソフト（液晶プロジェクタ制御用プログラム）がインストールされている。
【００２３】
この実施の形態による液晶プロジェクタは、第１の実施の形態と同様に、ログイン・パスワードをユーザに設定させる機能を備えている。つまり、操作部２１またはリモコン送信機２２を操作して電源をオンさせた後、操作部２１またはリモコン送信機２２上のメニューキーを操作することによって、メニュー画面（オンスクリーン画面）を表示させる。メニュー画面からパスワード設定項目を選択することにより、パスワード設定画面（オンスクリーン画面）を表示させ、パスワードを設定する。
【００２４】
このようにして、液晶プロジェクタに対してパスワード設定を行なった場合には、次回の電源オン時からは、操作部２１またはリモコン送信機２２によるキー操作が無効にされる。ただし、次回の電源オン時に、ＰＣ１００から正常なパスワードが入力された場合には、ＰＣ１００による液晶プロジェクタの制御（操作）を行なうことが可能となる。
【００２５】
なお、ユーザは、液晶プロジェクタに対してパスワード設定を行なった場合には、ＰＣ１００で液晶プロジェクタ制御用ソフトを起動させて、液晶プロジェクタ制御用ソフトの次回起動時からパスワード入力画面がＰＣ１００のモニタ上に表示されるような設定（パスワードによるログインモードの設定）を行なっておく。
【００２６】
図３のようなシステムでは、通常は、操作部２１またはリモコン送信機２２の操作によって、液晶プロジェクタの電源がオンされた後、ＰＣ１００において液晶プロジェクタ制御用ソフトが起動せしめられる。液晶プロジェクタの電源がオンされる前に、ＰＣ１００において液晶プロジェクタ制御用ソフトを起動した場合には、液晶プロジェクタ制御用ソフトによって、ＰＣ１００側のモニタに、液晶プロジェクタの電源のオンをユーザに要求するような画面が表示される。
【００２７】
図４は、液晶プロジェクタの電源がオンされた場合の、マイコン２０およびＰＣ１００の動作を示している。
【００２８】
操作部２１またはリモコン送信機２２が操作されることによって、液晶プロジェクタの電源がオンされると（ステップ２１）、パスワード設定が行なわれているか否かを判定する（ステップ２２）。パスワード設定が行なわれていない場合には、光源ランプ６を点灯させた後（ステップ２３）、操作部２１またはリモコン送信機２２による液晶プロジェクタの制御およびＰＣ１００による液晶プロジェクタの制御が可能な状態となる（ステップ２４）。パスワード設定が行なわれている場合には、マイコン２０はＰＣ１００からのパスワード受信待ち状態となる（ステップ２５）。
【００２９】
一方、ＰＣ１００では、液晶プロジェクタの電源がオンされた後に、液晶プロジェクタ制御用ソフトが起動せしめられると（ステップ４１）、パスワードによるログインモードであるか否かを判定する（ステップ４２）。パスワードによるログインモードでない場合には、パスワード入力画面を表示させることなく、通常の起動状態となる（ステップ４３）。パスワードによるログインモードである場合には、ＰＣ１００はパスワード入力画面をＰＣ１００のモニタ上に表示させる（ステップ４４）。
【００３０】
ユーザがＰＣ１００を操作して、パスワード入力画面上でパスワードを入力すると（ステップ４５）、ＰＣ１００は入力されたパスワードをネットワーク５２およびネットワーク制御回路５１を介して液晶プロジェクタのマイコン２０に送信する（ステップ４６）。
【００３１】
マイコン２０は、ＰＣ１００から送られてきたパスワードを受信すると（ステップ２５でＹＥＳ）、受信したパスワードが既に登録されているパスワードと一致するか否かを判定する（ステップ２６）。
【００３２】
両者が一致した場合には、マイコン２０は光源ランプ６を点灯させる（ステップ２７）。また、ＰＣ１００にパスワードが一致したことを通知する（ステップ２８）。さらに、操作部２１またはリモコン送信機２２による制御を禁止状態とするが、ＰＣ１００による制御を可能な状態とする（ステップ２９）。つまり、
これ以後の操作部２１またはリモコン送信機２２によるキー入力を無効とするが、ＰＣ１００からの指令を有効なものとして取り扱う。
【００３３】
ＰＣ１００は、パスワードが一致した旨を受信すると（ステップ４７）、パス
ワード入力画面を消去した後、通常の起動状態とする（ステップ４８）。
【００３４】
入力されたパスワードが既に登録されているパスワードと一致しない場合には、マイコン２０は、誤ったパスワードの入力回数を記憶するための変数ｋ（初期値は０）を＋１する（ステップ３０）。そして、変数ｋが予め定められた許容回数Ｋ０を越えたか否かを判定する（ステップ３１）。変数ｋが予め定められた許容回数Ｋ０以下である場合には、マイコン２０はＰＣ１００にパスワードの再入力指令を通知する（ステップ３４）。
【００３５】
ＰＣ１００は、マイコン２０からのパスワードの再入力指令を受信すると（ス
テップ４９）、現在表示されているパスワード入力画面において、”前回入力さ
れたパスワードが誤っているため、再度パスワードを入力して下さい”というメッセージを表示させる（ステップ５０）。そして、ステップ４５に移行する。
【００３６】
上記ステップ３１において、変数ｋが予め定められた許容回数Ｋ０を越えた場合には、マイコン２０はＰＣ１００にパスワードが不正であるため使用できない旨（使用不可の旨）を通知する（ステップ３２）。また、操作部２１またはリモコン送信機２２による制御を禁止状態にするとともにＰＣ１００による制御も禁止状態とする（ステップ３３）。つまり、これ以後の操作部２１またはリモコン送信機２２のキー入力およびＰＣ１００からの指令が無効なものとして取り扱われる。
【００３７】
ＰＣ１００は使用不可の旨を受信すると（ステップ５１）、”パスワードが一
致しないため使用できないこと”を表す警告表示を行なう（ステップ５２）。こ
の場合には、液晶プロジェクタ制御用ソフトは正常な起動状態とはならない。
【００３８】
なお、パスワード設定が行なわれている場合において、ＰＣ１００を操作することによって、液晶プロジェクタ制御用ソフトを通常の起動状態とした後に、パスワードの変更およびパスワード設定の解除を行なうことも可能である。パスワードの設定が行なわれている状態において、パスワード設定の解除が行なわれた場合には、次回の電源オン時においては、操作部２１またはリモコン送信機２２によるキー操作が有効となる。
【００３９】
上記第２の実施の形態によれば、液晶プロジェクタに対してパスワード設定を行なった場合には、当該液晶プロジェクタの電源をオンした後に、当該液晶プロジェクタを制御するためのＰＣに対して正常なパスワードを入力しない限り、液晶プロジェクタを制御（操作）できないので、不正使用が防止される。
【図面の簡単な説明】
【００４０】
【図１】この発明の第１の実施の形態による液晶プロジェクタの構成を示すブロック図である。
【図２】液晶プロジェクタの電源がオンされた場合の、マイコン２０の動作を示すフローチャートである。
【図３】この発明の第２の実施の形態による液晶プロジェクタの構成を示すブロック図である。
【図４】液晶プロジェクタの電源がオンされた場合の、マイコン２０およびＰＣ１００の動作を示すフローチャートである。
【符号の説明】
【００４１】
２０  マイコン
２１  液晶プロジェクタ本体に設けられた操作部
２２  リモコン送信機
５１  ネットワーク制御回路
５２  ネットワーク
１００  ＰＣ
【図１】
2006189888.tif 000003
【図２】
2006189888.tif 000004
【図３】
2006189888.tif 000005
【図４】
2006189888.tif 000006